(57)【要約】      （修正有）【課題】使用済み漁網や養殖網を有効利用して、魚介類の餌となる海藻類を育成増殖でき、小魚などの逃げ場や住処としても適する浮き漁礁を実現する。【解決手段】一端を海底に係留し、他端に浮き５を連結可能なロープ４を中心にして海中で円筒状又は袋状に膨らむように網を巻き付けると共に、袋状部の上端・下端となる位置を所定の間隔ごとにロープ４に縛りつけ固定して浮き漁礁用の網にする。網袋つきロープを海中に投入すると、海中で網袋６がフリーの状態となって自由に開いて鉛直方向一列の浮き漁礁が形成される。【選択図】図１
0003109328.tif 000002
【実用新案登録請求の範囲】
【請求項１】
一端を海底に係留し、他端に浮きを連結可能なロープを中心にして海中で円筒状または袋状に膨らむように網を巻き付けると共に、袋状部の上端および下端となる位置を所定の間隔ごとに前記ロープに縛りつけ固定してなることを特徴とする浮き漁礁用の網。
【請求項２】
前記ロープの一端を海底に直接またはアンカー手段で係留し、他端に浮きを連結してなることを特徴とする請求項１に記載の浮き漁礁。
【請求項３】
古タイヤの外周がコンクリートで覆われてなる沈降式の漁礁を海底に沈めて、前記ロープの一端を係留してなることを特徴とする請求項１または請求項２に記載の浮き漁礁。
【請求項４】
前記ロープの下端を環状に配列してなることを特徴とする請求項１、請求項２または請求項３に記載の浮き漁礁群。
【請求項５】
前記の各ロープの上端寄りを環状に連結してなることを特徴とする請求項４に記載の浮き漁礁群。
【請求項６】
前記のように各ロープに連結された浮きが、船舶の航行の邪魔にならないように海面から所定の深さ以上に沈降していることを特徴とする請求項２から請求項５までのいずれかの項に記載の浮き漁礁。
【考案の詳細な説明】
【技術分野】
【０００１】
本考案は、海底に係留された状態で海中を揺動する浮き漁礁に関する。
【背景技術】
【０００２】
海底が砂地の場合は、海藻類の生育に適しないため、海藻類を餌にしている魚介類の生息にも適しない。そのため、海底が砂地の場合でも魚介類が生息可能とするには、海藻類が付着し生育できるように漁網などを海中に設けておくことが望ましい。ところが、海中の一定の位置に漁網などを設置できる技術は存在しない。
【０００３】
これに対し、特開昭５５−６４７３０号公報に記載のように、海底に係留した導管に漁礁体を連結し、前記導管の下端開口から栄養塩水を吸い込んで上端開口から吹き出す浮き漁礁が提案されている。
【特許文献１】特開昭５５−６４７３０
【考案の開示】
【考案が解決しようとする課題】
【０００４】
しかしながら、この浮き漁礁は、漁礁体の付近の死水域に栄養塩水を補給できるという効果はあるものの、海藻類が付着して生息できるような漁網などが存在しないため、魚介類の餌となる海藻類の生育繁殖には適しない。また、導管は海藻類の付着繁殖を目的とするものではないので、海藻類の生育は望めないが、万一海藻類が生育し魚介類が生息すると仮定しても、小魚などの隠れ家や避難所、逃げ場となる環境が無いため、浮き漁礁としては適しない。
【０００５】
本考案の技術的課題は、このような問題に着目し、使用済みの漁網や海藻などの養殖に用いた網を有効利用することで、魚介類の餌となる海藻類を育成増殖でき、しかも小魚などの逃げ場や住処としても適する浮き漁礁を実現することにある。
【課題を解決するための手段】
【０００６】
本考案の技術的課題は次のような手段によって解決される。請求項１は、一端を海底に係留し、他端に浮きを連結可能なロープを中心にして海中で円筒状または袋状に膨らむように網を巻き付けると共に、袋状部の上端・下端となる位置を所定の間隔ごとに前記ロープに縛りつけ固定してなることを特徴とする浮き漁礁用の網である。このように、一端を海底に係留し、他端に浮きを連結可能なロープを中心にして海中で円筒状または袋状に膨らむように網を巻き付けると共に、袋状部の上端・下端となる位置を所定の間隔ごとに前記ロープに縛りつけ固定してなる浮き漁礁用の網を陸地で用意しておけば、船で現場に運んで、ロープの一端を海底に係留し、他端に浮きを連結することによって、容易に鉛直方向一列の浮き漁礁を設置できる。すなわち、海中に投入すると、前記の鉛直方向一列の各網が自由に開放して自然と円筒状または袋状に膨らんで、海藻類が付着増殖したり、魚介類が逃げ込んだりできる環境を形成でき、鉛直方向一列の人工の浮き漁礁として機能する。
【０００７】
請求項２は、前記ロープの一端を海底に直接またはアンカー手段で係留し、他端に浮きを連結してなることを特徴とする請求項１に記載の浮き漁礁である。このように、前記ロープの一端を海底に直接またはアンカー手段で係留し、他端に浮きを連結してなる構造とすることにより、ロープに巻き付けれている網に海藻類が生え始めて繁殖するため、魚介類の餌が豊富に確保され、魚介類の生息が可能となる。しかも、ロープを中心に予め巻き付けられている網が海中で自由に開放して円筒状または袋状に自然と膨らむため、小魚などは、この袋状網の中に避難し隠れ家として利用できるので、安全な住処となり、格好の漁礁として機能することになる。こうして、この浮き漁礁を中心にして各種の魚介類が増えると、餌を求めて大型魚なども集まり、浮き漁礁としての目的が達成される。
【０００８】
請求項３は、古タイヤの外周がコンクリートで覆われてなる沈降式の漁礁を海底に沈めて、前記ロープの一端を係留してなることを特徴とする請求項１または請求項２に記載の浮き漁礁である。このように、古タイヤの外周がコンクリートで覆われてなる沈降式の漁礁を海底に沈めて、前記ロープの一端を係留してなる浮き漁礁の場合は、外周がコンクリートで覆われてなる沈降式の漁礁が、浮き漁礁を海底に固定するアンカーとして作用するだけでなく、古タイヤの内部の空洞も魚介類の隠れ家として最適であり、漁礁として作用する。その結果、浮き漁礁との相乗効果が期待できる。
【０００９】
請求項４は、前記ロープの下端を環状に配列してなることを特徴とする請求項２または請求項３に記載の浮き漁礁群である。このように、前記のタイヤがコンクリートで覆われている沈降式漁礁などを環状に配置するなどの手法によって、ロープ下端を環状に配列した構造にすると、多数の浮き漁礁が環状に形成された浮き漁礁群となり、大型の浮き漁礁システムが形成されることにより、より多数の魚介類が集中して生息可能となる。また、環状の浮き漁礁の列が外部の大型魚の進入防護壁として作用し、環状の浮き漁礁の列の内部が避難場所としても作用する。
【００１０】
請求項５は、前記の各ロープの上端寄りを環状に連結してなることを特徴とする請求項４に記載の浮き漁礁群である。請求項４の浮き漁礁群の場合は、各ロープの下端側だけが環状に形成され、上端はフリーになっている。これに対し、請求項５の場合は、前記の各ロープの上端寄りも環状に連結してあるため、各ロープの上端側がそれぞれ独立して自由に揺動するのを防止して、安定した環状防護壁を形成できる。したがって、大型魚の進入防止が確実となる。また、この上端寄りの環状連結部の直径は任意であるが、図５のように直径を下端の環状列より小径にすると、全体的にドーム状の浮き漁礁となり、より大型の確実な逃げ場や隠れ家が形成され、安全な環境となる。しかも、より多くの海藻類が繁殖したり、無数の魚介類が集まって生息可能となり、魚介類によって楽園が形成されることになる。
【００１１】
請求項６は、前記のように各ロープに連結された浮きが、船舶の航行の邪魔にならないように海面から所定の深さ以上に沈降していることを特徴とする請求項２から請求項５までのいずれかの項に記載の浮き漁礁である。このように、各ロープに連結された浮きが、船舶の航行の邪魔にならないように海面から所定の深さ以上に沈降している構成にすると、海上から浮きが見えないため、密漁などを防止できると共に、船舶の航行の邪魔になるといった問題もない。
【考案の効果】
【００１２】
請求項１のように、一端を海底に係留し、他端に浮きを連結可能なロープを中心にして海中で円筒状または袋状に膨らむように網を巻き付けると共に、袋状部の上端・下端となる位置を所定の間隔ごとに前記ロープに縛りつけ固定してなる浮き漁礁用の網を陸地で用意しておけば、船で現場に運んで、ロープの一端を海底に係留し、他端に浮きを連結することによって、容易に鉛直方向一列の浮き漁礁を設置できる。すなわち、海中に投入すると、前記の鉛直方向一列の各網が自由に開放して自然と円筒状または袋状に膨らんで、海藻類が付着増殖したり、魚介類が逃げ込んだりできる環境を形成でき、鉛直方向一列の人工の浮き漁礁として機能する。
【００１３】
請求項２のように、前記ロープの一端を海底に直接またはアンカー手段で係留し、他端に浮きを連結してなる構造とすることにより、ロープに巻き付けれている網に海藻類が生え始めて繁殖するため、魚介類の餌が豊富に確保され、魚介類の生息が可能となる。しかも、ロープを中心に予め巻き付けられている網が海中で自由に開放して円筒状または袋状に自然と膨らむため、小魚などは、この袋状網の中に避難し隠れ家として利用できるので、安全な住処となり、格好の漁礁として機能することになる。こうして、この浮き漁礁を中心にして各種の魚介類が増えると、餌を求めて大型魚なども集まり、浮き漁礁としての目的が達成される。
【００１４】
請求項３のように、古タイヤの外周がコンクリートで覆われてなる沈降式の漁礁を海底に沈めて、前記ロープの一端を係留してなる浮き漁礁の場合は、外周がコンクリートで覆われてなる沈降式の漁礁が、浮き漁礁を海底に固定するアンカーとして作用するだけでなく、古タイヤの内部の空洞も魚介類の隠れ家として最適であり、漁礁として作用する。その結果、浮き漁礁との相乗効果が期待できる。
【００１５】
請求項４のように、前記のタイヤがコンクリートで覆われている沈降式漁礁などを環状に配置するなどの手法によって、ロープ下端を環状に配列した構造にすると、多数の浮き漁礁が環状に形成された浮き漁礁群となり、大型の浮き漁礁システムが形成されることにより、より多数の魚介類が集中して生息可能となる。また、環状の浮き漁礁の列が外部の大型魚の進入防護壁として作用し、環状の浮き漁礁の列の内部が避難場所としても作用する。
【００１６】
請求項５のように、前記の各ロープの上端寄りも環状に連結してあるため、各ロープの上端側がそれぞれ独立して自由に揺動するのを防止して、安定した環状防護壁を形成できる。したがって、大型魚の進入防止が確実となる。また、この上端寄りの環状連結部の直径は任意であるが、図５のように直径を下端の環状列より小径にすると、全体的にドーム状の浮き漁礁となり、より大型の確実な逃げ場や隠れ家が形成され、安全な環境となる。しかも、より多くの海藻類が繁殖したり、無数の魚介類が集まって生息可能となり、魚介類によって楽園が形成されることになる。
【００１７】
請求項６のように、各ロープに連結された浮きが、船舶の航行の邪魔にならないように海面から所定の深さ以上に沈降している構成にすると、海上から浮きが見えないため、密漁などを防止できると共に、船舶の航行の邪魔になるといった問題もない。
【考案を実施するための最良の形態】
【００１８】
次に本考案による浮き漁礁が実際上どのように具体化されるか実施形態を説明する。図１は本考案による浮き漁礁の基本構成を示す斜視図である。１は海面、２は砂地の海底である。この海底２上に、アンカーとなるタイヤ内蔵コンクリート漁礁３を沈めて、取付け具８を介してロープ４を連結し、ロープ上端に浮き５を連結してある。なお、タイヤのリング状孔３ｈにロープ４ａを挿通して環にし、ロープ４の下端を直接連結してもよい。前記の浮き５は、海面１上に浮上させることも可能ではあるが、船舶の航行の邪魔にならないように、海面１から５ｍ以上沈降するように、ロープ４の長さを短めに設定するのが望ましい。
【００１９】
６…は網袋であり、陸上において、ロープ４を中心にして合成樹脂製の漁網やモズクなどの養殖網を巻き付けると共に、所定の間隔Ｓをおいて固定部７…でロープ４に縛りつけ固定することによって、海中に投入したとき、海中で複数の網袋６…が鉛直方向一列に形成される。海藻の養殖や漁に使用した後の廃棄網が大量に残るので、これを効果的に再利用できる。図２は、図１のような網袋６の形成方法を図示したもので、（１）のような例えば幅１ｍ、長さ２０ｍ程度のモズク養殖網６ｎを、ロープ４を中心にして巻き付け固定する。
【００２０】
図２（１）は、ロープ４とモズク養殖網６ｎを鉛直に垂らした状態の正面図、（２）はその平面図である。平面図（３）は、（２）のような状態のモズク養殖網６ｎをロープ４を中心にして巻き付ける場合の想定図である。つまり、網袋６がロープ４を中心にして、海中で自由になると、円筒状となるように陸上で形成しておく。その結果、海中に投入すると、船上に重ねてあった前記の網が開放されて、自然に円筒状の袋状に膨らみ、最終的に（３）図のようなほぼ円筒状に形成されて袋状になる。
【００２１】
（３）図は、複数枚の網を用いて複数重ねにした例である。すなわち、２枚のモズク養殖網６ｎを２枚重ねて束ねた例であるが、３枚以上を３重、４重に重ねることも可能である。また、網の寸法にもよるが、単一の網を複数回巻き付けて複数重ねにしてもよい。この場合は、単一の網を複数回巻き付けることによって、出来上がった網袋６の外径は小さくなることは言うまでもない。つまり、幅１ｍの網を１周巻いた場合は、直径が約３０ｃｍ程度の網袋６となるのに対し、２周巻いて二重の網袋６にすると、直径は約１５ｃｍとなる。
【００２２】
したがって、陸上や船上に重ねてあった網が海中で開放されて自由となった結果、徐々に開いて円筒状の袋状になることを想定して、ロープ４を中心にしてモズク養殖網６ｎを束ねてロープや紐で縛りつけ固定することになる。こうして、束ねた部分が図１の７の部分であり、束ねた部分７を水平断面図で示すと（４）図のようになる。このように、例えば１ｍおきに図１の７の部分で束ねて固定しておくと、海中に投入した場合、網の復元力で自由に開いて膨らみ、結束部７と７との間の領域が円筒状に膨らんで、鉛直方向一列の網袋６…となる。したがって、結束部７と７との間隔Ｓは、芯となるロープ４の間隔Ｓより、網袋６となる網６ｎの間隔を幾分長めにして、網袋６の上下両端がラグビーボール状に膨らむように余裕を設けておく必要がある。
【００２３】
このように各網袋６…が円筒状の袋状になるので、海中では小魚類は網目を通過して、図１の網袋６の中に逃げ込むことによって、外敵から避難することができ、安全な住処となるので、漁礁として最適である。また、海中に複数の網袋６…を支持しておくことによって、網袋６に海藻類が付着生育して繁殖するため、海藻類を餌にしたり、逃げ場として利用できる魚介類が集まってきて生息することになり、浮き漁礁として機能する。図１のような鉛直方向一列の網袋６…からなる浮き漁礁を多数設置しておくことによって、海藻類や魚介類が無数に増殖ないし生息できる人工の漁礁群が実現される。
【００２４】
図１のタイヤ内蔵コンクリート漁礁３は、本考案の考案者が提案した特許第３５３８３５９号のように、古タイヤを内蔵したコンクリートブロックを複数連結したもの等が適しているが、浮き５の浮力で容易に移動しない大重量体であれば足りる。古タイヤ３本がコンクリートで一体に連結固定されたタイヤ内蔵コンクリート漁礁３の場合であれば、５００ｋｇ程度の重量となり、砂地上での移動を容易に防止できる。
【００２５】
なお、１組のタイヤ内蔵コンクリート漁礁３を構成する古タイヤの本数や構造は任意であり、４本以上も有効である。古タイヤ内蔵構造を用いると、タイヤの空洞部も漁礁として機能するので好適である。図１の実施形態では、１個のタイヤ内蔵コンクリート漁礁３にロープ付き網袋６と浮き５の単位は１組しか取付けてないが、単一のタイヤ内蔵コンクリート漁礁３に対し浮き５付きのロープ４を図３のように複数組取付けた構造も可能である。
【００２６】
海底漁礁を兼ねることのできる大重量のアンカーのほかに、専用のアンカーを沈めてロープ４を取付け支持することもできる。この専用アンカーの材質や形状などは特に限定されないが、波浪で流されにくい構成がよい。また、海底に岩盤などが存在する場合は、この岩盤に穿孔してアンカーボルト等を固定し、ロープ４の下端を取付け支持することもできる。あるいは、アンカー用の鉄杭などを砂地などの海底に打ち込んでロープ４を取付け支持してもよい。
【００２７】
図４は、多数の網袋つきロープ４…を用いて、環状に配列した例である。多数のロープ４…を環状に配列して、岩盤などに直接取付け固定してもよいし、前記のような海底のタイヤ内蔵コンクリート漁礁３…などの人工漁礁を環状に配列して、それぞれの人工漁礁３…にロープ４…を取付け支持してもよい。また、図示の環状の人工漁礁３…の内側に、図１や図３のような独立タイプの人工漁礁３…を任意の数だけ沈降させておいてもよい。環状に配列する際の各ロープ付き網袋６…を幾重にも配列するのもよい。このように、多数のロープ４…の下端を環状に配列すると、鉛直方向一列の網袋６…によって環状の囲いを形成できるので、外敵を遮断する防護壁として作用する。あるいは、少なくとも外敵から逃避する際の時間かせぎになる。加えて、多数の浮き漁礁や沈降漁礁が形成されることで、海藻類や魚介類の繁殖・生息により適した環境を実現できる。
【００２８】
図４の場合は、各ロープ４…の上部はフリーになっていて、独立して鉛直に立った状態で自由に揺れることができるのに対し、図５は、各網袋６つきロープ４…の上端寄りを環状にロープ９などで連結してある。このように、各ロープ４上端を環状に連結してあると、各ロープ４…の上端の自由が制限され、より強固な環状擁壁が形成される。
【００２９】
各ロープ４…の上端を連結してなる環状部の直径を下端の環状配列と同程度の寸法にして、図４と同様な大型円筒状にしてもよいが、図５のように上端のロープ９による環状連結部の直径を下端の環状配列より小さくすると、全体的にドーム状の浮き漁礁となる。この場合は、天井側も外敵からの防護壁として作用する。なお、図５のように、各ロープ４…の上端だけでなく、中間部にも浮き５…を取付けておくと、各網袋６つきロープ４…の全長に張力が作用して、ピーンと張った強固で安定性の良いドーム状防護壁が形成される。
【００３０】
図４、図５の環状防護壁１０の直径は任意であるが、例えば５〜20ｍ程度が可能である。また、環状の配列を２重３重に巡らすことによって、防護壁としての機能を強化できると共に、海藻類や魚介類の増殖や住処としての機能が増大する。
【００３１】
図４や図５のように、海底に多数のタイヤ内蔵コンクリート漁礁３…などのような人工漁礁を沈降させておくと、それぞれの沈降漁礁が相互に移動阻止として作用するので、砂地上において沈降漁礁が容易に移動するのを防止できる。砂地などに杭などを打ち込んで、要所要所の沈降漁礁を海底に固定しておくと、沈降漁礁の移動阻止がより確実となる。
【００３２】
以上のような浮き漁礁を設置する場合、船舶などの航行の邪魔にならないような環境であれば、各浮き５…が海面に浮上する構成でもよい。しかし、船舶などが航行するような場所では、船舶の航行の邪魔にならないように海面から所定の深さ以上、例えば５ｍ以上沈降させておくことが望ましい。このように、各浮き５…を海面より深い位置まで沈降するように、各ロープ４…を短くしておけば、浮き５…が海上から見えないため、浮き漁礁を狙った密猟を防止できるという利点もある。
【００３３】
上記のような浮き漁礁の場合、各網袋６…やロープ４に貝類や珊瑚などが付着して重くなって来ると、これらを除去しないと、浮き５…による浮力が低下して来る。したがって、時々付着物を除去するが、除去された貝類や珊瑚などは海底に落下して成長するので、収穫量が減少するようなことはない。なお、浮き５の構成は任意であるが、例えば合成樹脂製の直径３０〜３５ｃｍ程度の球状浮きが有効である。１本のロープ４に浮き５を複数個取付けてもよい。網袋６を取付けるロープ４は、直径が例えば３〜４ｃｍ程度の、海水による腐食に強いナイロン製などが適している
【産業上の利用可能性】
【００３４】
以上のように、タイヤ内蔵式のコンクリート漁礁などのようなアンカー手段を沈めて網袋付きロープを取付け支持して、上端には海面下において浮きを取付けた浮き漁礁であるため、海中において、外敵からの隠れ家ないし逃げ場となる網袋を鉛直方向一列に形成できる。したがって、海底に設けたアンカー兼用の沈降漁礁と相まって理想的な漁礁を実現でき、特に砂地などのような魚介類の生息に適しない環境における海藻類の育成増殖と魚介類の生息に適した環境を実現でき、魚介類の増産に極めて有効である。
【図面の簡単な説明】
【００３５】
【図１】本考案による浮き漁礁の基本構成を示す斜視図である。
【図２】図１のようなロープ付きの網袋の形成方法を示す図である。
【図３】沈降漁礁に網袋付きロープを複数組取付けた構造の斜視図である。
【図４】多数の網袋付きロープを環状に配列した実施形態の斜視図である。
【図５】各網袋付きロープの上端寄りを環状に連結したドーム状漁礁の実施形態を示す斜視図である。
【符号の説明】
【００３６】
１  海面
２  砂地の海底
３  タイヤ内蔵コンクリート漁礁（沈降漁礁）
４  ロープ
５  浮き
６  網袋
６ｎ  養殖網または漁網
７  固定部
８  取付け具
９  ロープ
【図１】
0003109328.tif 000003
【図２】
0003109328.tif 000004
【図３】
0003109328.tif 000005
【図４】
0003109328.tif 000006
【図５】
0003109328.tif 000007
【手続補正書】
【提出日】平成16年12月24日(2004.12.24)
【手続補正１】
【補正対象書類名】実用新案登録請求の範囲
【補正対象項目名】請求項１
【補正方法】変更
【補正の内容】
【請求項１】
一端を海底に係留し、他端に浮きを連結可能なロープを中心にして海中で円筒状または袋状に膨らむように網を巻き付けると共に、円筒状部または袋状部の上端および下端となる位置を所定の間隔ごとに前記ロープに縛りつけ固定してなることを特徴とする浮き漁礁用の網。
【手続補正２】
【補正対象書類名】明細書
【補正対象項目名】０００６
【補正方法】変更
【補正の内容】
【０００６】
本考案の技術的課題は次のような手段によって解決される。請求項１は、一端を海底に係留し、他端に浮きを連結可能なロープを中心にして海中で円筒状または袋状に膨らむように網を巻き付けると共に、円筒状部または袋状部の上端・下端となる位置を所定の間隔ごとに前記ロープに縛りつけ固定してなることを特徴とする浮き漁礁用の網である。このように、一端を海底に係留し、他端に浮きを連結可能なロープを中心にして海中で円筒状または袋状に膨らむように網を巻き付けると共に、円筒状部または袋状部の上端・下端となる位置を所定の間隔ごとに前記ロープに縛りつけ固定してなる浮き漁礁用の網を陸地で用意しておけば、船で現場に運んで、ロープの一端を海底に係留し、他端に浮きを連結することによって、容易に鉛直方向一列の浮き漁礁を設置できる。すなわち、海中に投入すると、前記の鉛直方向一列の各網が自由に開放して自然と円筒状または袋状に膨らんで、海藻類が付着増殖したり、魚介類が逃げ込んだりできる環境を形成でき、鉛直方向一列の人工の浮き漁礁として機能する。
【手続補正３】
【補正対象書類名】明細書
【補正対象項目名】００１２
【補正方法】変更
【補正の内容】
【００１２】
請求項１のように、一端を海底に係留し、他端に浮きを連結可能なロープを中心にして海中で円筒状または袋状に膨らむように網を巻き付けると共に、円筒状部または袋状部の上端・下端となる位置を所定の間隔ごとに前記ロープに縛りつけ固定してなる浮き漁礁用の網を陸地で用意しておけば、船で現場に運んで、ロープの一端を海底に係留し、他端に浮きを連結することによって、容易に鉛直方向一列の浮き漁礁を設置できる。すなわち、海中に投入すると、前記の鉛直方向一列の各網が自由に開放して自然と円筒状または袋状に膨らんで、海藻類が付着増殖したり、魚介類が逃げ込んだりできる環境を形成でき、鉛直方向一列の人工の浮き漁礁として機能する。